Podtech/llm-jp-corpus-v4-ja_patent huggingface dataset:
【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】
長尺の液体透過性シート状基材を搬送する液体透過性のコンベアーと、このコンベアー上にその搬送方向に沿って配置されたプリコートゾーン、コーティングゾーン、およびサクションゾーンとを備え、
前記プリコートゾーンは、前記液体透過性シート状基材の表面にプリコート液を塗布してプリコート液膜を形成する区域であり、
前記コーティングゾーンは、前記液体透過性シート状基材の表面に対して微少間隔で配置された接触コーターによりスラリーを塗布して、前記液体透過性シート状基材表面に塗膜を形成する区域であり、
前記サクションゾーンは、前記液体透過性シート状基材の表面上および内部に存在する液体成分を吸引除去する区域であり、
さらに前記コーティングゾーンにおいて、前記コンベアーの表面または下面に沿って配置された、液体不透過性材料からなるシート状遮蔽体が設けられている、
ことを特徴とするコーティング装置。
【請求項２】
前記シート状遮蔽体が、前記コーティングゾーンから前記プリコートゾーンまで延びている請求項１に記載のコーティング装置。
【請求項３】
前記シート状遮蔽体が、ポリテトラフルオロエチレン系、ポリプロピレン系、ポリエチレン系、ポリエステル系、エポキシ系またはシリコン系の単体または共重合体の樹脂シート、あるいはこれらの樹脂と鋼材との複合材である請求項１または２に記載のコーティング装置。
【請求項４】
長尺の液体透過性シート状基材を搬送する、液体不透過性の第１のコンベアーと、
前記第１のコンベアーの搬送方向に関して後方の位置に配置された液体透過性の第２のコンベアーと、
前記第１のコンベアー上にその搬送方向に沿って配置されたプリコートゾーンおよびコーティングゾーンと、
前記第２のコンベアーの位置に配置されたサクションゾーンとを備え、
前記プリコートゾーンは、前記液体透過性シート状基材の表面にプリコート液を塗布してプリコート液膜を形成する区域であり、
前記コーティングゾーンは、前記液体透過性シート状基材の表面に対して微少間隔で配置された接触コーターによりスラリーを塗布して、前記液体透過性シート状基材表面に塗膜を形成する区域であり、
前記サクションゾーンは、前記液体透過性シート状基材の表面上および内部に存在する液体成分を吸引除去する区域である、
ことを特徴とするコーティング装置。
【請求項５】
前記液体透過性シート状基材が繊維ウェブである請求項１〜４のいずれか１項に記載のコーティング装置。
【請求項６】
前記プリコートゾーンとして、前記液体透過性シート状基材の走行方向に関して前方の位置に、前記液体透過性シート状基材の表面にプリコート液を塗布する第１、第２のプリコートゾーンが設けられている請求項１〜５のいずれか１項に記載のコーティング装置。
【手続補正書】
【提出日】平成20年9月11日(2008.9.11)
【手続補正１】
【補正対象書類名】明細書
【補正対象項目名】特許請求の範囲
【補正方法】変更
【補正の内容】
【特許請求の範囲】
【請求項１】  キク科トウヒレン属植物の粉末及び／又は抽出物を有効成分とするアルドース還元酵素の活性阻害作用を有する糖尿病性末梢神経障害の予防及び治療剤。
【請求項２】  トウヒレン属植物が、雪蓮花である請求項１に記載の糖尿病性末梢神経障害の予防及び治療剤。
【請求項３】  請求項１の粉末及び／又は抽出物が添加されてなる健康食品。
【手続補正書】
【提出日】平成20年4月23日(2008.4.23)
【手続補正１】
【補正対象書類名】明細書
【補正対象項目名】００２４
【補正方法】変更
【補正の内容】
【００２４】
ラッチ部材１７の左側には、タングプレート７がバックル本体１１に挿入された際に、タングプレート７のラッチ穴１２に挿入されてタングプレート７をロックするラッチ部４１が、下方に向けて延出形成されている。ラッチ部材１７の右端部には、上方に向けて突出した当接部４３が形成されており、この当接部４３の略中央部には、後に詳述するシャフト４７が貫通可能な開口部４９が形成されている。
【手続補正書】
【提出日】平成20年8月6日(2008.8.6)
【手続補正１】
【補正対象書類名】明細書
【補正対象項目名】特許請求の範囲
【補正方法】変更
【補正の内容】
【特許請求の範囲】
【請求項１】  基板の一主面上に成長された第１の窒化物系ＩＩＩ−Ｖ族化合物半導体層をパターニングすることによりストライプ形状の種結晶を形成し、この種結晶を用いて上記基板上に第２の窒化物系ＩＩＩ−Ｖ族化合物半導体層を横方向成長させ、この際、互いに隣接する少なくとも一対の上記種結晶から横方向成長した上記第２の窒化物系ＩＩＩ−Ｖ族化合物半導体層が会合していない領域を有するようにした窒化物系ＩＩＩ−Ｖ族化合物半導体基板を用い、この窒化物系ＩＩＩ−Ｖ族化合物半導体基板上に、素子構造を形成する第３の窒化物系ＩＩＩ−Ｖ族化合物半導体層を成長させるようにした半導体装置の製造方法。
【請求項２】  上記窒化物系ＩＩＩ−Ｖ族化合物半導体基板は、上記種結晶が第１の間隔で周期的に形成されている第１の領域と、上記種結晶が上記第１の間隔より大きい第２の間隔で形成されている第２の領域とを有する請求項１記載の半導体装置の製造方法。
【請求項３】  上記第１の窒化物系ＩＩＩ−Ｖ族化合物半導体層および上記第２の窒化物系ＩＩＩ−Ｖ族化合物半導体層はＧａＮ層である請求項１記載の半導体装置の製造方法。
【請求項４】  上記種結晶は〈１−１００〉方向に互いに平行に延在するストライプ形状を有する請求項１記載の半導体装置の製造方法。
【請求項５】  上記基板は窒化物系ＩＩＩ−Ｖ族化合物半導体と異なる物質からなる請求項１記載の半導体装置の製造方法。
【請求項６】  上記基板はサファイアからなる請求項１記載の半導体装置の製造方法。
【請求項７】  上記半導体装置は半導体発光素子である請求項１記載の半導体装置の製造方法。
【請求項８】  基板の一主面上に第１の窒化物系ＩＩＩ−Ｖ族化合物半導体層を成長させる工程と、
上記第１の窒化物系ＩＩＩ−Ｖ族化合物半導体層をパターニングすることによりストライプ形状の種結晶を形成し、この際、第１の領域では上記種結晶が第１の間隔で周期的に形成され、第２の領域では上記種結晶が上記第１の間隔より大きい第２の間隔で形成されるようにする工程と、
上記種結晶を用いて上記基板上に第２の窒化物系ＩＩＩ−Ｖ族化合物半導体層を横方向成長させる工程と、
上記第２の窒化物系ＩＩＩ−Ｖ族化合物半導体層上に、素子構造を形成する窒化物系ＩＩＩ−Ｖ族化合物半導体層を成長させる工程とを有する半導体装置の製造方法。
【請求項９】  上記第１の窒化物系ＩＩＩ−Ｖ族化合物半導体層および上記第２の窒化物系ＩＩＩ−Ｖ族化合物半導体層はＧａＮ層である請求項８記載の半導体装置の製造方法。
【請求項１０】  上記種結晶は〈１−１００〉方向に互いに平行に延在するストライプ形状を有する請求項８記載の半導体装置の製造方法。
【請求項１１】  上記基板は窒化物系ＩＩＩ−Ｖ族化合物半導体と異なる物質からなる請求項８記載の半導体装置の製造方法。
【請求項１２】  上記基板はサファイアからなる請求項８記載の半導体装置の製造方法。
【請求項１３】  上記半導体装置は半導体発光素子である請求項８記載の半導体装置の製造方法。
【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  水素を放出して芳香族化合物に変化する水素発生体と、上記水素と反応してその水素を貯蔵する上記芳香族化合物から成る水素貯蔵体との間における脱水素反応または水素付加反応を利用して水素の発生または貯蔵を行う水素発生・貯蔵装置であって、上記脱水素反応または上記水素付加反応を発生させるための反応用部材となる筒状部材が傾倒した状態で配置され、この筒状部材の上下方向下側の内面には、上記水素発生体または上記水素貯蔵体を上記脱水素反応または上記水素付加反応させるための触媒が配置され、上記筒状部材の上下方向上側には、当該筒状部材内で気化状態となっている物質を液化するための冷却部が配置され、上記筒状部材は、反応前の上記水素発生体または上記水素貯蔵体を備える第１のタンクと、上記脱水素反応または上記水素付加反応によって生成された物質を回収するための第２のタンクとの間に配置され、前記第１のタンク内の前記水素発生体または前記水素貯蔵体を気化させる加熱装置を前記第１のタンクと前記筒状部材との間に配置するか、あるいは前記第１のタンク側に送風手段を設け、前記水素発生体または前記水素貯蔵体を気化させた状態で前記筒状部材内へ送り込むことを特徴とする水素発生・貯蔵装置。
【請求項２】 前記筒状部材は、前記第１のタンク側から前記第２のタンク側に向かって上昇する勾配および下降する勾配の双方が交互に配置されたジグザグ状で構成されたことを特徴とする請求項１記載の水素発生・貯蔵装置。
【請求項３】 前記筒状部材の上下方向下側に、前記脱水素反応または前記水素付加反応を起こさせるために前記触媒を所定の温度まで加熱する加熱装置を配置したことを特徴とする請求項１または２のいずれか１項記載の水素発生・貯蔵装置。
【請求項４】 前記筒状部材内の前記第１のタンクに近い側の温度が、前記第２のタンクに近い側の温度に比べて高くなるように、温度勾配を設けたことを特徴とする請求項１〜３のいずれか１項記載の水素発生・貯蔵装置。
【手続補正２】
【補正対象書類名】明細書
【補正対象項目名】００１３
【補正方法】変更
【補正の内容】
【００１３】
【課題を解決するための手段】
本発明は、水素を放出して芳香族化合物に変化する水素発生体と、上記水素と反応してその水素を貯蔵する上記芳香族化合物から成る水素貯蔵体との間における脱水素反応または水素付加反応を利用して水素の発生または貯蔵を行う水素発生・貯蔵装置であって、上記脱水素反応または上記水素付加反応を発生させるための反応用部材となる筒状部材が傾倒した状態で配置され、この筒状部材の上下方向下側の内面には、上記水素発生体または上記水素貯蔵体を上記脱水素反応または上記水素付加反応させるための触媒が配置され、上記筒状部材の上下方向上側には、当該筒状部材内で気化状態となっている物質を液化するための冷却部が配置され、上記筒状部材は、反応前の上記水素発生体または上記水素貯蔵体を備える第１のタンクと、上記脱水素反応または上記水素付加反応によって生成された物質を回収するための第２のタンクとの間に配置され、前記第１のタンク内の前記水素発生体または前記水素貯蔵体を気化させる加熱装置を前記第１のタンクと前記筒状部材との間に配置するか、あるいは前記第１のタンク側に送風手段を設け、前記水素発生体または前記水素貯蔵体を気化させた状態で前記筒状部材内へ送り込む水素発生・貯蔵装置である。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００７８
【補正方法】変更
【補正の内容】
【００７８】
【表１】
2003081601.tif 000001
【手続補正６】
【補正対象書類名】明細書
【補正対象項目名】００７９
【補正方法】変更
【補正の内容】
【００７９】
表１は、各種ケミカルハイドライドを用いた水素放出結果を示す表である。ケミカルハイドライドとしては、シクロヘキサンあるいはデカリンの他に、メチルシクロヘキサンも使用できる。また、その他の水素を含む化合物として、メタノールも使用可能である。水素の発生量（＝同一重量の原料に対して発生する水素の重量）だけから判断すると、デカリン、シクロヘキサンが原料として優位性を持っている。
【手続補正７】
【補正対象書類名】明細書
【補正対象項目名】００８０
【補正方法】変更
【補正の内容】
【００８０】
しかし、水素放出後の原料の使いやすさの面からいうと、ナフタレンを生成するデカリンは、シクロヘキサンよりも劣る。ナフタレンは常温で固体となり、８０℃以上では液化せずに昇華してしまうからである。シクロヘキサンは、脱水素反応後にベンゼンとなる。ベンゼンは沸点８０．１℃であり、ほぼ同じ沸点を持つシクロヘキサンと同様に、使いやすい原料である。したがって、水素放出量と安全を含めた使用上の容易性の観点から、シクロヘキサンが最適の原料である。
【手続補正書】
【提出日】平成19年11月30日(2007.11.30)
【手続補正１】
【補正対象書類名】明細書
【補正対象項目名】００２８
【補正方法】変更
【補正の内容】
【００２８】
近年では、義歯床や裏装材としては（メタ）アクリレート系の材質のものが汎用されており、このような材質の材料に対する接着性及び接着耐久性の向上効果が特に優れている点で、義歯床裏装材用前処理剤に配合する高分子重合体としても（メタ）アクリレート系のものが好適である。該ポリ（メタ）アクリレート系重合体としては、ポリ（メチルメタクリレート）やポリ（エチルメタクリレート）の如き単独重合体でもよいし、ポリ（メチルメタクリレート−エチルメタクリレート）共重合体のような共重合体でもよい。
【手続補正書】
【提出日】平成19年12月6日(2007.12.6)
【手続補正１】
【補正対象書類名】明細書
【補正対象項目名】特許請求の範囲
【補正方法】変更
【補正の内容】
【特許請求の範囲】
【請求項１】
第１の基板上にシリコン膜でなる剥離層を形成し、
前記剥離層上に絶縁膜を形成し、
前記絶縁膜上に発光素子を形成し、
前記発光素子上に第１接着剤を用いて第２の基板を貼り合わせ、
前記第２の基板を貼り合わせた後に、フッ化ハロゲンを含むガスを用いて前記剥離層をエッチングすることにより、前記第１の基板を分離し、
前記絶縁膜に第２接着剤を用いて第３の基板を貼り合わせることを特徴とする表示装置の作製方法。
【請求項２】
第１の基板上にシリコン膜でなる剥離層を形成し、
前記剥離層上に絶縁膜を形成し、
前記絶縁膜上に半導体素子を形成し、
前記半導体素子に電気的に接続される発光素子を形成し、
前記発光素子上に第１接着剤を用いて第２の基板を貼り合わせ、
前記第２の基板を貼り合わせた後に、フッ化ハロゲンを含むガスを用いて前記剥離層をエッチングすることにより、前記第１の基板を分離し、
前記絶縁膜に第２接着剤を用いて第３の基板を貼り合わせることを特徴とする表示装置の作製方法。
【請求項３】
第１の基板上にシリコン膜でなる剥離層を形成し、
前記剥離層上に絶縁膜を形成し、
前記絶縁膜上に第１電極を形成し、
シール剤を用いて前記第１の基板上に第２電極が形成された第２の基板を貼り合わせて、液晶素子を形成し、
前記第２の基板を貼り合わせた後に、フッ化ハロゲンを含むガスを用いて前記剥離層をエッチングすることにより、前記第１の基板を分離し、
前記絶縁膜に接着剤を用いて第３の基板を貼り合わせることを特徴とする表示装置の作製方法。
【請求項４】
第１の基板上にシリコン膜でなる剥離層を形成し、
前記剥離層上に絶縁膜を形成し、
前記絶縁膜上に半導体素子を形成し、
前記半導体素子に電気的に接続される画素電極を形成し、
シール剤を用いて前記第１の基板上に対向電極が形成された第２の基板を貼り合わせて、液晶素子を形成し、
前記第２の基板を貼り合わせた後に、フッ化ハロゲンを含むガスを用いて前記剥離層をエッチングすることにより、前記第１の基板を分離し、
前記絶縁膜に接着剤を用いて第３の基板を貼り合わせることを特徴とする表示装置の作製方法。
【請求項５】
請求項１または請求項２において、前記第１接着剤としてポリイミド、アクリルもしくはエポキシ樹脂を用いることを特徴とする表示装置の作製方法。
【請求項６】
請求項１乃至請求項５のいずれか一において、前記第１の基板は、ガラス基板、石英基板、シリコン基板、金属基板もしくはセラミックス基板であることを特徴とする表示装置の作製方法。
【請求項７】
請求項１乃至請求項６のいずれか一において、前記第２の基板は、プラスチックフィルム、プラスチック基板、ガラス基板、石英基板、シリコン基板もしくはセラミックス基板であることを特徴とする表示装置の作製方法。
【請求項８】
請求項１乃至請求項７のいずれか一において、前記第３の基板として前記第２の基板と同一の材料を用いることを特徴とする表示装置の作製方法。
【手続補正２】
【補正対象書類名】明細書
【補正対象項目名】００１８
【補正方法】変更
【補正の内容】
【００１８】
次に、図１（Ｃ）に示すように、窒化シリコン膜１１８を５０ｎｍの厚さに形成し、その後、加熱処理を行って添加された周期表の１３族に属する元素の活性化を行う。この活性化はファーネスアニール、レーザーアニールもしくはランプアニールにより行うか、又はそれらを組み合わせて行えば良い。本実施の形態では５００℃４時間の加熱処理を窒素雰囲気で行う。
【手続補正３】
【補正対象書類名】明細書
【補正対象項目名】００６４
【補正方法】変更
【補正の内容】
【００６４】
最後に、アクリル膜からなる第２接着剤７１２を用いて貼り合わせ基板７１３を接着する。本実施例では、貼り合わせ基板７１３としてプラスチックフィルムを用いる。勿論、プラスチック基板を用いても構わない。
【手続補正書】
【提出日】平成19年12月17日(2007.12.17)
【手続補正１】
【補正対象書類名】明細書
【補正対象項目名】発明の名称
【補正方法】変更
【補正の内容】
【発明の名称】電気器具
【手続補正２】
【補正対象書類名】明細書
【補正対象項目名】特許請求の範囲
【補正方法】変更
【補正の内容】
【特許請求の範囲】
【請求項１】
対向電極と画素電極に挟まれたＥＬ素子を有するＥＬ表示装置と、環境情報信号を検知するセンサーと、Ａ／Ｄ変換回路と、ＣＰＵと、Ｄ／Ａ変換回路と、電圧可変器とを有する電気器具であって、
前記環境情報信号をセンサーにより電気信号に変え、
前記電気信号を前記Ａ／Ｄ変換回路によりデジタル信号に変え、
前記デジタル信号を前記ＣＰＵにより前記ＥＬ素子の発光輝度を補正するデジタル補正信号に変え、
前記デジタル補正信号を前記Ｄ／Ａ変換回路によりアナログ補正信号に変え、
前記アナログ補正信号を前記電圧可変器により補正電圧に変え、
前記補正電圧を前記ＥＬ表示装置の前記対向電極に印加することを特徴とする電気器具。
【請求項２】
請求項１において、前記対向電極は陰極かつ透明電極であることを特徴とする電気器具。
【請求項３】
請求項１または請求項２において、前記ＥＬ表示装置と、前記センサーと、前記ＣＰＵと、前記電圧可変器が、同一基板上に形成されることを特徴とする電気器具。
【請求項４】
請求項１乃至３のいずれか一項において、前記センサーはフォトダイオード、ＣｄＳ光導電素子（硫化カドミウム光導電素子）、ＣＣＤまたはＣＭＯＳセンサーであることを特徴とする電気器具。
【手続補正書】
【提出日】平成20年2月7日(2008.2.7)
【手続補正１】
【補正対象書類名】明細書
【補正対象項目名】特許請求の範囲
【補正方法】変更
【補正の内容】
【特許請求の範囲】
【請求項１】 （Ａ）第１符号化音声信号を、第１の組の音声信号パラメータとして受信するステップと、
（Ｂ）音声信号を生成するために、前記第１の組の音声信号パラメータを第１音声デコーダに入力するステップと、
（Ｃ）修正された音声信号を生成するために、前記第１音声デコーダからの音声信号をアダプティブフィルタに与えるステップであって、前記アダプティブフィルタは前記第１音声デコーダからの音声信号のスペクトラムを修正して、音声信号の符号化及び復号化により導入されるスペクトラム歪みを実質的に補償する、ステップと、
（Ｄ）修正された音声信号を、第２の組の音声信号パラメータにより表される符号化修正音声信号に変換するために、前記修正された音声信号を音声エンコーダに与えるステップと、
（Ｅ）前記第２の組の音声信号パラメータを送信するステップと、を有することを特徴とする通信方法。
【請求項２】 （Ｆ）前記第２の組の音声信号パラメータにより表される符号化された修正音声信号を復号化する際に起きるデジタル歪みを補償するアダプティブフィルタを用いて、前記第１音声デコーダからの音声信号のスペクトラムを修正するステップをさらに有することを特徴とする請求項１記載の通信方法。
【請求項３】 前記アダプティブフィルタは、修正された音声信号をあとで符号化し復号化することにより生成される音声信号のスペクトラムが音声デコーダからの音声信号のスペクトラムに近づくようにするために、前記デコーダからの音声信号のスペクトラムの選択周波数のデシベルを増加させることを特徴とする請求項１記載の通信方法。
【請求項４】 ワイヤレス受信器に接続され、音声信号を表すパラメータの組からなる信号を受信し、受信した信号を音声信号に変換する音声デコーダと、
修正された音声信号を生成するために、前記音声デコーダからの音声信号を受領するよう接続されたアダプティブフィルタと、からなり、
前記修正された音声信号は、それが符号化されると、音声信号を表す別の組のパラメータからなる第２信号を生成し、前記アダプティブフィルタは前記音声デコーダからの音声信号のスペクトラムを修正して、音声信号の符号化及び復号化により導入されるスペクトラム歪みを実質的に補償するすることを特徴とするワイヤレス呼接続装置。
【請求項５】 前記アダプティブフィルタは、前記デコーダからの音声信号のスペクトラムの選択周波数の大きさを変更することを特徴とする請求項４記載の装置。
【請求項６】 前記アダプティブフィルタは、修正された音声信号を符号化し、復号化することにより引き起こされるデジタル歪みを補償するために、前記デコーダからの音声信号のスペクトラムの選択周波数の大きさを変えることを特徴とする請求項５記載の装置。
【請求項７】 前記アダプティブフィルタは、前記アダプティブフィルタからの修正された信号を符号化し復号化することにより引き起こされるデジタル歪みを補償するために、前記デコーダからの音声信号のうちの３０００Ｈｚ以上の周波数のデシベルを増加させることを特徴とする請求項５記載の装置。
【請求項８】 前記アダプティブフィルタは、前記アダプティブフィルタからの修正された信号を符号化し復号化することにより引き起こされるデジタル歪みを補償するために、前記デコーダからの音声信号のうちの１５００Ｈｚ以上の周波数のデシベルを増加させることを特徴とする請求項５記載の装置。
【請求項９】 前記アダプティブフィルタは、前記アダプティブフィルタからの修正された信号を符号化し復号化することにより引き起こされるデジタル歪みを補償するために、前記デコーダからの音声信号のうちの３００Ｈｚ以上の周波数のデシベルを増加させることを特徴とする請求項５記載の装置。
【請求項１０】 修正された音声信号をあとで符号化し復号化することにより生成される音声信号のスペクトラムが音声デコーダからの音声信号のスペクトラムに近づくようにするために、前記アダプティブフィルタが前記デコーダからの音声信号のスペクトラムの選択周波数のデシベルを増加させることを特徴とする請求項４記載の装置。
【手続補正書】
【提出日】平成20年6月4日(2008.6.4)
【手続補正１】
【補正対象書類名】明細書
【補正対象項目名】００７５
【補正方法】変更
【補正の内容】
【００７５】
トナー１ｇ中からメタノールによって抽出されるオキシカルボン酸の質量Ａ（以下「オキシカルボン酸量Ａ」と称す）は、トナー粒子の表面、及びメタノールの浸透可能な表面層部分（表面近傍）に存在するオキシカルボン酸の存在量（ｍｇ）であり、また、トナー中から０．１ｍｏｌ／リットルの水酸化ナトリウム水溶液によって抽出されるオキシカルボン酸の質量Ｂ（以下「オキシカルボン酸量Ｂ」と称す）は、トナー粒子の表面に存在するオキシカルボン酸の存在量（ｍｇ）であって、本発明者等は、これらの各々が、転写材上に定着画像を形成する直前までのトナーの帯電挙動と定着画像形成時以降の加熱加圧手段の回転加熱部材や回転加圧部材の表面での酸化能力と界面活性剤的挙動の発現を支配しているものと考えている。
【手続補正２】
【補正対象書類名】明細書
【補正対象項目名】０１０１
【補正方法】変更
【補正の内容】
【０１０１】
また、円形度頻度分布の平均円形度が０．９５０未満のトナー粒子を１５個数％以下にすることで、画像形成における現像効率が十分なレベルとなり画像形成も良好なものとなる。
【手続補正３】
【補正対象書類名】明細書
【補正対象項目名】０１０２
【補正方法】変更
【補正の内容】
【０１０２】
上記の如きトナーの平均円形度、円形度標準偏差及び円形度０．９５０未満のトナー個数％についての制御は、重合法によるトナーの製造方法において、重合反応時の水系分散媒体のｐＨによって可能である。
【手続補正４】
【補正対象書類名】明細書
【補正対象項目名】０１１６
【補正方法】変更
【補正の内容】
【０１１６】
本発明において、上記の如きワックス成分の分散状態は以下の様に定義される。すなわち、前述のフロー式粒子像測定装置で測定されるトナーの重量基準の粒径頻度分布の平均値を意味する円相当重量平均径Ｄ4（μｍ）に対し、Ｄ4×０．９以上であり、Ｄ4×１．１以下の長径を有するトナーの断層面を２０箇所選び出す。そして、選び出した各トナーの断層面の長径Ｒと、長径Ｒであるトナーの断層面中に存在しているワックス成分に起因する相分離構造の中で、最も大きいものの長径ｒを計測し、ｒ／Ｒの相加平均値（ｒ／Ｒ）stを求める。得られたｒ／Ｒの相加平均値（ｒ／Ｒ）stが０．０５≦（ｒ／Ｒ）st≦０．９５を満たす分散状態にある場合、ワックス成分が結着樹脂と相溶しない状態で、実質的に球形及び／又は紡錘形で島状の分散状態を有しているものとする。
【手続補正５】
【補正対象書類名】明細書
【補正対象項目名】０２２０
【補正方法】変更
【補正の内容】
【０２２０】
上記トナーの製造例及び比較用トナーの製造例で用いたオキシカルボン酸とワックス成分の種類と添加量、及び水系分散媒体のｐＨの条件、更に得られたトナーの諸性状を表１にまとめて示した。
【手続補正６】
【補正対象書類名】明細書
【補正対象項目名】０２５３
【補正方法】変更
【補正の内容】
【０２５３】
上記トナーの製造例及び比較用トナーの製造例で用いたオキシカルボン酸とワックス成分の種類と添加量、及び水系分散媒体のｐＨの条件、更に得られたトナーの諸性状を表３にまとめて示した。
【手続補正７】
【補正対象書類名】明細書
【補正対象項目名】０２８５
【補正方法】変更
【補正の内容】
【０２８５】
それぞれの製造例における着色剤、オキシカルボン酸及びワックス成分の種類と添加量、及び比較用トナー（ｆ）〜（ｈ）の諸性状を表５にまとめて示した。
【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】
電圧非印加時に光散乱状態になる高分子分散型液晶層と、
前記高分子分散型液晶層に電界を形成する第１および第２の透明電極とを備え、
第１の透明電極は第１電極パターンと該第１電極パターンに境界部分を介して隣接配置された第２電極パターンとを有し、
該境界部分の幅は、前記第２電極パターンと前記第２の透明電極とにより形成される電界の作用により前記境界部分に対応する前記高分子分散型液晶層の部分を透明化するに十分な大きさであることを特徴とする液晶表示装置。
【請求項２】
前記第１電極パターンは表示パターンであり、前記第２電極パターンは背景パターンであり、そして前記境界部分の幅は前記高分子分散型液晶層の膜厚と略等しいことを特徴とする請求項１に記載の液晶表示装置。
【請求項３】
前記第１電極パターンは配線パターンであり、前記第２電極パターンは背景パターンであり、そして前記第１電極パターンと前記境界部分との合計幅は前記高分子分散型液晶層の膜厚と略等しいことを特徴とする請求項１に記載の液晶表示装置。
【請求項４】
前記第１電極パターンは表示パターンと配線パターンであり、前記第２電極パターンは背景パターンであり、
前記表示パターンと前記背景パターンとの境界部分の幅は前記高分子分散型液晶層の膜厚と略等しく、前記配線パターンの幅と前記配線パターンと前記背景パターンとの境界部分の幅の合計は前記高分子分散型液晶層の膜厚と略等しいことを特徴とする請求項１に記載の液晶表示装置。
【請求項５】
前記配線パターンは、線状に延びるパターンから成り、前記配線パターンと前記背景パターンとの境界部分は前記配線パターンに沿ってその両側に位置していることを特徴とする請求項３または４に記載の液晶表示装置。
【請求項６】
前記配線パターンの幅と前記配線パターンに沿ってその両側に位置している前記背景パターンとの境界部分の幅は前記高分子分散型液晶層の膜厚と略等しいことを特徴とする請求項５に記載の液晶表示装置。
【請求項７】
前記配線パターンの一端は前記表示パターンと結線され、他端は前記高分子分散型液晶層の端部方向に向かって延びていることを特徴とする請求項４から６のいずれか一項に記載の液晶表示装置。
【請求項８】
前記高分子分散型液晶層は、矩形状に形成され、
前記表示パターンと前記配線パターンは複数は位置され、
それぞれの前記配線パターンの一端は複数の前記表示パターンのいずれかに結線され、それぞれの前記配線パターンの他端は、前記矩形の一辺に向かって延びていることを特徴とする請求項４から６のいずれか一項に記載の液晶表示装置。
【請求項９】
請求項１から８のいずれか一項に記載の液晶表示装置と、該液晶表示装置を駆動制御するための制御回路と、を具備したことを特徴とするカメラ。
【手続補正書】
【提出日】平成20年10月28日(2008.10.28)
【手続補正１】
【補正対象書類名】明細書
【補正対象項目名】０００３
【補正方法】変更
【補正の内容】
【０００３】
メタン発酵処理方法では、メタン発酵設備おけるメタン発酵を効率良く行なって処理能力を向上させるべく、有機性廃棄物をメタン発酵設備に供給するのに先立って種々の前処理が行われる。また前処理の一例として、亜臨界水処理が検討されており（例えば、特許文献３、特許文献４参照）、例えば特許文献３には、農業や林業で排出する籾殻、芝生、剪定枝、枯草等のセルロース・リグニン系高Ｃ／Ｎ比低水分廃棄物と屎尿・厨芥系高Ｃ／Ｎ比低水分廃棄物とを一体としてメタン発酵処理するのに先立って、セルロース・リグニン系高Ｃ／Ｎ比低水分廃棄物を、水の臨界点（３７４．１℃、２２．０４ＭＰａ）に近いか又は臨界点以下の条件で水熱処理する亜臨界水処理として、圧力（ゲーシ圧力）２〜２２ＭＰａ、温度２００〜６５０℃、処理時間１分〜１０時間の条件で処理することが記載されている。また特許文献４には、食品の廃棄処理方法として、特にパン及びパン生地等を含む焼き菓子や乳製品等について、１５０〜３００℃、及びその温度に応じた飽和蒸気圧程度の亜臨界水条件下で処理することが記載されている（例えば、特許文献４参照）。
【特許文献１】特開２００２−１１９９３７号公報
【特許文献２】特開２００４−１３０２０６号公報
【特許文献３】特開２００３−９４０２２号公報
【特許文献４】特開２００３−２５１３０６号公報
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
ワークに付着した溶剤を乾燥するため、該ワークに乾燥風を吹き付けて強制乾燥するように構成するにあたり、乾燥風は、乾燥風循環回路を循環するものとし、該乾燥風循環回路に、乾燥風の一部を分流するための分流回路を設け、該分流回路に、前記分流した乾燥風から溶剤を冷却して回収する溶剤回収手段を設けると共に、前記溶剤回収手段で溶剤が回収された乾燥風を乾燥風循環回路に合流させる合流回路が設けられていることを特徴とする溶剤の回収装置。
【請求項２】
請求項１において、乾燥風循環回路には、ワークに吹き付ける乾燥風を加熱するための加熱手段が設けられていることを特徴とする溶剤の回収装置。
【請求項３】
請求項１または２において、分流回路には、溶剤回収手段に至る前の乾燥風を予冷するための予冷手段が設けられていることを特徴とする溶剤の回収装置。
【請求項４】
請求項１または２において、乾燥風循環回路には、ワークを乾燥した乾燥風を分流回路に至る前で予冷するための予冷手段が設けられていることを特徴とする溶剤の回収装置。
【請求項５】
ワークに付着した溶剤を乾燥するため、該ワークに乾燥風を吹き付けて強制乾燥するように構成するにあたり、乾燥風は、乾燥風循環回路を循環するものとし、該乾燥風循環回路から分流された一部の乾燥風から溶剤を冷却して回収すると共に、溶剤が回収された乾燥風を乾燥風循環回路に合流させるようにしたことを特徴とする溶剤の回収方法。
【請求項６】
請求項５において、加熱した乾燥風をワークに吹き付けるようにしたことを特徴とする溶剤の回収方法。
【請求項７】
請求項５または６において、分流した一部の乾燥風を、該分流した乾燥風から溶剤を回収する前に予冷するようにしたことを特徴とする溶剤の回収方法。
【請求項８】
請求項５または６において、ワークを乾燥した乾燥風を予冷してから一部の乾燥風を分流するようにしたことを特徴とする溶剤の回収方法。
【手続補正２】
【補正対象書類名】明細書
【補正対象項目名】０００４
【補正方法】変更
【補正の内容】
【０００４】
本発明は、上記の如き実情に鑑みこれらの課題を解決することを目的として創作されたものであって、請求項１の発明は、ワークに付着した溶剤を乾燥するため、該ワークに乾燥風を吹き付けて強制乾燥するように構成するにあたり、乾燥風は、乾燥風循環回路を循環するものとし、該乾燥風循環回路に、乾燥風の一部を分流するための分流回路を設け、該分流回路に、前記分流した乾燥風から溶剤を冷却して回収する溶剤回収手段を設けると共に、前記溶剤回収手段で溶剤が回収された乾燥風を乾燥風循環回路に合流させる合流回路が設けられていることを特徴とする溶剤の回収装置である。
請求項２の発明は、請求項１において、乾燥風循環回路には、ワークに吹き付ける乾燥風を加熱するための加熱手段が設けられていることを特徴とする溶剤の回収装置である。
請求項３の発明は、請求項１または２において、分流回路には、溶剤回収手段に至る前の乾燥風を予冷するための予冷手段が設けられていることを特徴とする溶剤の回収装置である。
請求項４の発明は、請求項１または２において、乾燥風循環回路には、ワークを乾燥した乾燥風を分流回路に至る前で予冷するための予冷手段が設けられていることを特徴とする溶剤の回収装置である。
請求項５の発明は、ワークに付着した溶剤を乾燥するため、該ワークに乾燥風を吹き付けて強制乾燥するように構成するにあたり、乾燥風は、乾燥風循環回路を循環するものとし、該乾燥風循環回路から分流された一部の乾燥風から溶剤を冷却して回収すると共に、溶剤が回収された乾燥風を乾燥風循環回路に合流させるようにしたことを特徴とする溶剤の回収方法である。
請求項６の発明は、請求項５において、加熱した乾燥風をワークに吹き付けるようにしたことを特徴とする溶剤の回収方法である。
請求項７の発明は、請求項５または６において、分流した一部の乾燥風を、該分流した乾燥風から溶剤を回収する前に予冷するようにしたことを特徴とする溶剤の回収方法である。
請求項８の発明は、請求項５または６において、ワークを乾燥した乾燥風を予冷してから一部の乾燥風を分流するようにしたことを特徴とする溶剤の回収方法である。
【手続補正３】
【補正対象書類名】明細書
【補正対象項目名】０００５
【補正方法】変更
【補正の内容】
【０００５】
請求項１または５の発明とすることで、乾燥風のうちの分流された一部の乾燥風から溶剤を冷却して回収すればよいことになって、活性炭のような吸着剤を使用しないですんで長期に亘る連続的な溶剤の回収ができながら、回収すべき溶剤量が少なくなり、この結果、溶剤回収手段を一段にしても良いことになって装置の小型コンパクト化が計れる。しかも、溶剤が回収された乾燥風を再び乾燥風循環回路に合流させて使用するため、大気に排出するほどの溶剤回収能力を必要とせず、このため溶剤の回収能率が高いものでありながら溶剤回収手段自体に高い回収能率を必要とせず、簡略化できることになる。
請求項２または６の発明とすることにより、ワークに対しては加熱された乾燥風が吹き付けられることになって、乾燥能力のアップが計れることになる。
請求項３または７の発明とすることにより、フロン等の低沸点の溶剤の回収が、乾燥風循環回路を循環する乾燥風を冷却することなくできることになって低沸点の溶剤を含んだ乾燥風からの溶剤の回収効率を、溶剤能力を維持しながら向上することができる。
請求項４または８の発明とすることにより、トルエン等の高沸点の溶剤の回収が、乾燥風循環回路の冷却によってもできることになって、高沸点の溶剤の回収効率を向上することができる。
【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
表示部に絵柄を変動表示する絵柄表示手段と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が前記特別遊技状態当選の場合には、前記絵柄が特定絵柄で停止するよう前記絵柄表示手段を表示制御する表示制御手段と、
前記抽選手段の抽選結果が前記特別遊技状態当選であって、前記絵柄の変動表示が終了した場合に、遊技状態を前記特別遊技状態に移行させる特別遊技状態移行手段と
を備えた遊技機において、
遊技領域に設けられると共に、遊技球が入球し易い開放状態とその開放状態より入球しにくい閉鎖状態とに切り換え可能な複数の可変入球手段と、
可変入球手段のいずれかに遊技球が入球した場合、該可変入球手段に応じて異なる特典を遊技者に付与する特典付与手段と、
遊技状態が前記特別遊技状態に移行した場合、前記可変入球手段を開放状態とした後に閉鎖状態に切り換える開閉制御を、前記各可変入球手段の開閉回数の合計が特定回数となるまで行う開閉制御手段と、
該開閉制御手段が前記特別遊技状態下で初回の開閉制御を行う前までに、前記各可変入球手段の開閉回数を導出し得るよう前記各可変入球手段のうち少なくとも１つの開閉回数を決定し得る開閉回数決定手段と、
該開閉回数決定手段の決定結果に基づいて、付与される特典の小さな可変入球手段から順に開閉制御されるよう、前記特別遊技状態下における可変入球手段の開閉態様を設定する開閉態様設定手段と、
遊技状態が前記特別遊技状態に移行した場合、少なくとも前記開閉制御が前記特定回数行われるまで、特別遊技状態演出を行うよう前記絵柄表示手段を演出制御する演出制御手段と
を備え、
前記演出制御手段は、
前記特定回数より少ない規定回数の開閉制御が行われる間に表示させるための演出データを予め複数記憶する演出データ記憶手段と、
前記開閉制御手段が前記規定回数の開閉制御を行う毎に、前記開閉態様設定手段の設定結果に基づいて、前記複数の演出データから１つの演出データを選択する演出データ選択手段と、
前記演出データ選択手段の選択した演出データを前記絵柄表示手段に出力することにより、前記演出データと対応する特別遊技状態演出を前記絵柄表示手段に行わせる演出データ出力手段と
を備えることを特徴とする遊技機。
【請求項２】
前記演出データ選択手段は、開閉制御される可変入球手段と対応する演出データを選択することを特徴とする請求項１に記載の遊技機。
【請求項３】
前記演出データ記憶手段に、開閉制御される可変入球手段が変更される時期を示唆し得る表示を行うための示唆演出データを記憶させ、前記演出データ選択手段を、開閉制御される可変入球手段が変更される前に前記示唆演出データを選択する構成としたことを特徴とする請求項１又は２に記載の遊技機。
【請求項４】
前記演出データの選択順序を定めた選択パターンを、前記開閉態様設定手段の設定し得る開閉態様毎に記憶する選択パターン記憶手段を備え、前記演出データ選択手段は、前記選択パターン記憶手段の記憶する選択パターンに基づいて、前記複数の演出データから１つの演出データを選択することを特徴とする請求項１乃至３のいずれか１に記載の遊技機。
【請求項５】
前記演出データ選択手段は、前記開閉制御手段が前記特別遊技状態下で初回の開閉制御を行う前までに、前記開閉態様設定手段の設定結果に基づいて前記複数の演出データから１つの演出データを選択することを特徴とする請求項１乃至４のいずれか１に記載の遊技機。
【請求項６】
前記演出データ記憶手段は、前記特定回数より少ない数の演出データを記憶し、前記演出データ選択手段は、前記特定回数の開閉制御が行われる間に、前記演出データの選択を複数回行うことを特徴とする請求項１乃至５のいずれか１に記載の遊技機。
【請求項７】
表示部に絵柄を変動表示する絵柄表示手段と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が前記特別遊技状態当選の場合には、前記絵柄が特定絵柄で停止するよう前記絵柄表示手段を表示制御する表示制御手段と、
前記抽選手段の抽選結果が前記特別遊技状態当選であって、前記絵柄の変動表示が終了した場合に、遊技状態を前記特別遊技状態に移行させる特別遊技状態移行手段と
を備えた遊技機において、
遊技領域に設けられると共に、遊技球が入球し易い開放状態とその開放状態より入球しにくい閉鎖状態とに切り換え可能な複数の可変入球手段と、
可変入球手段のいずれかに遊技球が入球した場合、該可変入球手段に応じて異なる特典を遊技者に付与する特典付与手段と、
遊技状態が前記特別遊技状態に移行した場合、前記可変入球手段を開放状態とした後に閉鎖状態に切り換える開閉制御を、前記各可変入球手段の開閉回数の合計が特定回数となるまで行う開閉制御手段と、
該開閉制御手段が前記特別遊技状態下で初回の開閉制御を行う前までに、前記各可変入球手段の開閉回数を導出し得るよう前記各可変入球手段のうち少なくとも１つの開閉回数を決定し得る開閉回数決定手段と、
該開閉回数決定手段の決定結果に基づいて、付与される特典の小さな可変入球手段から順に開閉制御されるよう、前記特別遊技状態下における可変入球手段の開閉態様を設定する開閉態様設定手段と、
遊技状態が前記特別遊技状態に移行した場合、少なくとも前記開閉制御が前記特定回数行われるまで、特別遊技状態演出を行うよう前記絵柄表示手段を演出制御する演出制御手段と
を備え、
前記演出制御手段は、
少なくとも前記開閉制御が前記特定回数行われるまで前記特別遊技状態演出を表示させることが可能な演出データ群を予め記憶する演出データ記憶手段と、
前記演出データ群を前記絵柄表示手段に出力することにより、前記絵柄表示手段に前記特別遊技状態演出を行わせる演出データ出力手段と、
前記開閉態様設定手段の設定結果に基づいて、前記演出データ群のうち所定範囲の演出データを出力しないよう規制するデータ出力規制手段と、
前記データ出力規制手段による規制が行われた場合、前記演出データ群のうち前記所定範囲と異なる範囲の演出データを複数回出力するよう前記演出データ出力手段を制御する重複出力手段と
を備えることを特徴とする遊技機。
【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
表示部に絵柄を変動表示する絵柄表示手段と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が前記特別遊技状態当選の場合には、前記絵柄が特定絵柄で停止するよう前記絵柄表示手段を表示制御する表示制御手段と、
前記抽選手段の抽選結果が前記特別遊技状態当選であって、前記絵柄の変動表示が終了した場合に、遊技状態を前記特別遊技状態に移行させる特別遊技状態移行手段と
を備えた遊技機において、
遊技領域に設けられると共に、遊技球が入球し易い開放状態とその開放状態より入球しにくい閉鎖状態とに切り換え可能な複数の可変入球手段と、
各可変入球手段に遊技球が入球したことを検出する入球検出手段と、
可変入球手段のいずれかに遊技球が入球した場合、入球した可変入球手段に応じて異なる特典を遊技者に付与する特典付与手段と、
遊技状態が前記特別遊技状態に移行した場合、前記可変入球手段の全てが閉鎖状態にある状況下でいずれかの可変入球手段を開放状態に切り換える開放制御を行う開放制御手段と、
該開放制御手段が開放制御を開始してから規定時間が経過した場合、又は開放制御中の可変入球手段に規定数の遊技球が入球した場合に、当該可変入球手段を閉鎖状態に切り換える閉鎖制御を行う閉鎖制御手段と、
前記各可変入球手段の開閉回数の合計が特定回数となるように、前記特別遊技状態下における可変入球手段の開閉態様を設定する開閉態様設定手段と、
前記開閉態様設定手段の設定した開閉態様に基づいて、次回の開放制御が行われる可変入球手段を把握する開閉態様把握手段と、
遊技状態が前記特別遊技状態に移行した場合、少なくとも前記各可変入球手段の開閉回数の合計が前記特定回数となるまで、特別遊技状態演出を行うよう前記絵柄表示手段を演出制御する演出制御手段と
を備え、
前記演出制御手段は、前記可変入球手段のいずれかが開放制御されている場合、前記入球検出手段が前記遊技球の入球を検出した回数に基づいて、前記開閉態様把握手段の把握結果に応じた表示演出に変更する演出変更手段を備えることを特徴とする遊技機。
【請求項２】
前記演出変更手段は、前記表示演出を行うための演出データを予め複数記憶する演出データ記憶手段と、前記複数の演出データから１つの演出データを選択する演出データ選択手段と、該演出データ選択手段の選択した演出データを前記絵柄表示手段に出力することにより、前記演出データと対応する表示演出を前記絵柄表示手段に行わせる演出データ出力手段とを備え、前記演出データ選択手段は、予め定めた所定数の遊技球が開放制御中の可変入球手段に入球した場合に、前記開閉態様把握手段の把握結果に応じて前記演出データの選択を行うことを特徴とする請求項１に記載の遊技機。
【請求項３】
遊技を統括管理すると共に前記開放制御手段及び前記閉鎖制御手段を備える主制御手段と、前記演出制御手段を備える表示制御手段を備え、
前記入球検出手段は、前記可変入球手段に遊技球が入球したことを検出した場合、入球検出信号を前記主制御手段に送信し、
前記主制御手段は、前記入球検出信号を受信する毎に前記表示制御手段に対して入球報告指令を送信することを特徴とする請求項２に記載の遊技機。
【請求項４】
前記演出変更手段は、前記入球報告指令の受信に基づいて、前記開放制御中の可変入球手段に入球した遊技球数を把握する入球数把握手段と、該入球数把握手段の把握する遊技球数が前記所定数と一致するか否かを判定する判定手段とを備え、前記演出データ選択手段は、前記判定手段が一致すると判定した場合に、前記開閉態様把握手段の把握結果に応じて前記演出データの選択を行うことを特徴とする請求項３に記載の遊技機。
【請求項５】
遊技を統括管理すると共に前記開放制御手段及び前記閉鎖制御手段を備える主制御手段と、前記演出制御手段を備える表示制御手段を備え、
前記入球検出手段を、前記可変入球手段に遊技球が入球したことを検出した場合、入球検出信号を前記主制御手段に送信する構成とし、
前記主制御手段は、
前記入球検出信号の受信に基づいて、前記開放制御中の可変入球手段に入球した遊技球数を把握する入球数把握手段と、該入球数把握手段の把握する遊技球数が前記所定数と一致するか否かを判定する判定手段とを備え、該判定手段が一致する判定をした場合に、前記表示制御手段に対して入球報告指令を送信することを特徴とする請求項２に記載の遊技機。
【請求項６】
前記所定数を予め複数設定すると共に、前記演出データ選択手段は、開放制御中の可変入球手段に入球した遊技球数が前記各所定数と一致する毎に、前記開閉態様把握手段の把握結果に応じて前記演出データの選択を行うことを特徴とする請求項２乃至５のいずれか１に記載の遊技機。
【請求項７】
前記演出データ選択手段は、前記開放制御手段が前記開放制御を開始した場合に、前記開閉態様把握手段の把握結果に関わらず同じ演出データを選択することを特徴とする請求項２乃至６のいずれか１に記載の遊技機。
【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
被写体の撮像信号を取得する内視鏡装置と、
上記内視鏡装置を動作させる所定の信号を送信するための操作手段を有し、上記内視鏡装置をネットワークに接続するネットワーク接続装置と、
ネットワークを介して上記ネットワーク接続装置と接続され、上記内視鏡装置を動作させる所定の信号を送信する少なくとも一つの端末装置と、
上記所定の信号が、上記端末装置又は上記操作手段の何れから送信されたかを示す指示手段と、
を備えたことを特徴とする内視鏡システム。
【請求項２】
上記指示手段は上記操作手段に設けられ、上記内視鏡装置が上記操作手段から送信された上記所定の信号に基づいて動作していることを示すことを特徴とする請求項１に記載の内視鏡システム。
【請求項３】
上記ネットワーク接続装置は、ネットワークを介して上記外部装置から受信した上記所定の信号に基づいて上記内視鏡装置を動作させるコマンド信号を生成して上記内視鏡装置に送信するコマンド送信手段を備え、
上記操作手段が送信する上記所定の信号は、上記コマンド送信手段が生成する上記コマンド信号であることを特徴とする請求項１又は請求項２に記載の内視鏡システム。
【請求項４】
上記ネットワーク接続装置は、
上記内視鏡装置に固有の情報である装置情報を上記内視鏡装置から受信する情報受信手段と、
上記装置情報に基づいて、上記内視鏡装置が有する機能に応じた閲覧画面を生成する閲覧画面生成手段と、
上記閲覧画面を上記端末装置に送信する閲覧情報送信手段とを備えたことを特徴とする請求項１〜請求項３の何れか１項に記載の内視鏡システム。
【請求項５】
上記内視鏡装置は、上記撮像信号を上記ネットワーク接続装置に送信しないとき上記撮像信号を圧縮し、上記撮像信号を上記ネットワーク接続装置に送信するとき上記撮像信号を圧縮せずに上記ネットワーク接続装置に送信し、
上記ネットワーク接続装置は、上記内視鏡装置から送信された上記撮像信号を受信したとき、上記撮像信号を圧縮して上記端末装置に送信することを特徴とする請求項１〜請求項４の何れか１項に記載の内視鏡システム。
【請求項６】
内視鏡装置を複数の端末装置が接続可能なネットワークに接続するネットワーク接続装置であって、
上記内視鏡装置を動作させる所定の信号を送信するための操作手段と、
上記端末装置から送信された上記内視鏡装置を動作させる所定の信号を受信する受信手段と、
上記操作手段に設けられ、上記所定の信号が、上記端末装置又は上記操作手段の何れから送信されたかを示す指示手段と、
を備えたことを特徴とするネットワーク接続装置。
【手続補正２】
【補正対象書類名】明細書
【補正対象項目名】発明の名称
【補正方法】変更
【補正の内容】
【発明の名称】内視鏡システム及びネットワーク接続装置
【手続補正３】
【補正対象書類名】明細書
【補正対象項目名】０００１
【補正方法】変更
【補正の内容】
【０００１】
本発明は、内視鏡システム及び内視鏡装置をネットワークに接続するネットワーク接続装置に関する。
【手続補正４】
【補正対象書類名】明細書
【補正対象項目名】０００８
【補正方法】変更
【補正の内容】
【０００８】
そこで本発明は上述の問題点に鑑みてなされたものであり、容易に内視鏡装置をネットワークに接続することができる内視鏡システム及びネットワーク接続装置を提供することを目的とする。
【手続補正５】
【補正対象書類名】明細書
【補正対象項目名】０００９
【補正方法】変更
【補正の内容】
【０００９】
本発明の内視鏡システムは、被写体の撮像信号を取得する内視鏡装置と、上記内視鏡装置を動作させる所定の信号を送信するための操作手段を有し、上記内視鏡装置をネットワークに接続するネットワーク接続装置と、ネットワークを介して上記ネットワーク接続装置と接続され、上記内視鏡装置を動作させる所定の信号を送信する少なくとも一つの端末装置と、上記所定の信号が、上記端末装置又は上記操作手段の何れから送信されたかを示す指示手段とを備える。
【手続補正６】
【補正対象書類名】明細書
【補正対象項目名】００１０
【補正方法】変更
【補正の内容】
【００１０】
本発明によれば、容易に内視鏡装置をネットワークに接続することができる内視鏡システム及びネットワーク接続装置を提供することができる。
【手続補正７】
【補正対象書類名】明細書
【補正対象項目名】００８９
【補正方法】変更
【補正の内容】
【００８９】
以上説明したように、本発明によれば、容易に内視鏡装置をネットワークに接続することができる内視鏡システム及びネットワーク接続装置を提供することができる。